(57)【要約】  複数の離散した隣接する回折同心リングを含む少なくとも１つの回折面であって、ほぼ対称的な回折面のトポグラフィを有する径方向位相プロファイル断面と、３つより多い奇数の回折次数と、を有する少なくとも１つの回折面と、回折次数にわたるエネルギー流束の非対称分布と、を含む多焦点ＩＯＬ。【選択図】図１Ｂ
2022500223.tif 000002
【特許請求の範囲】
【請求項１】
多焦点ＩＯＬであって、
複数の離散した隣接する回折同心リングを含む少なくとも１つの回折面であって、
ほぼ対称的な回折面トポグラフィを有する径方向位相プロファイル断面と、
３つより多い奇数の回折次数と、を有する、少なくとも１つの回折面を含む、多焦点ＩＯＬ。
【請求項２】
前記ＩＯＬが、前記回折次数にわたるエネルギー流束の非対称分布を含む、請求項１に記載のＩＯＬ。
【請求項３】
前記ＩＯＬが５つの回折次数を含む、請求項１〜２のいずれか一項に記載のＩＯＬ。
【請求項４】
前記回折面が、ステップ間で前記回折プロファイルを不変に維持するように設計された前記回折ステップを含む、請求項１〜３のいずれか一項に記載のＩＯＬ。
【請求項５】
前記回折ステップが、前記ＩＯＬのベース曲率の部分的に内側および部分的に外側にある、請求項４に記載のＩＯＬ。
【請求項６】
前記回折同心リングが、回折プロファイルの反復パターンを含む、請求項１〜５のいずれか一項に記載のＩＯＬ。
【請求項７】
前記プロファイルが非対称である、請求項６に記載のＩＯＬ。
【請求項８】
前記回折リングが単一の回折プロファイルの反復パターンを含む、請求項１〜７のいずれか一項に記載のＩＯＬ。
【請求項９】
前記回折リングが２つの異なる回折プロファイルの反復パターンを含む、請求項１〜７のいずれか一項に記載のＩＯＬ。
【請求項１０】
前記回折リングが、１つの回折プロファイルの反復パターンを有する第１のゾーンから、第２の回折プロファイルの反復パターンを有する第２の周辺ゾーンへの単一の遷移を含む、請求項９に記載のＩＯＬ。
【請求項１１】
前記第２の周辺ゾーンの前記回折面トポグラフィの高さが、前記ＩＯＬの中心高さに対して径方向外向きに前進するときに一定に維持される、請求項９〜１０のいずれか一項に記載のＩＯＬ。
【請求項１２】
前記径方向位相プロファイル断面が、非対称の二重ピーク形状を有する、請求項１〜８のいずれか一項に記載のＩＯＬ。
【請求項１３】
前記ＩＯＬの厚さが可変であり、前記曲率が維持される、請求項１〜１２のいずれか一項に記載のＩＯＬ。
【請求項１４】
前記ＩＯＬの厚さが可変であり、前記曲率が可変である、請求項１〜１３のいずれか一項に記載のＩＯＬ。
【発明の詳細な説明】
【技術分野】
【０００１】
関連出願の相互参照
本出願は、２０１８年９月１３日に出願された、「ＭＵＬＴＩＦＯＣＡＬ  ＩＮＴＲＡＯＣＵＬＡＲ  ＬＥＮＳ」と題する、米国仮特許出願第６２／７３０，７６９号の優先権の利益を主張し、その内容は参照によりそれらの全体が本明細書に組み込まれる。
【０００２】
本発明は、そのいくつかの実施形態において、概して、多焦点眼内レンズに関し、より具体的には、限定されないが、多焦点、回折、眼内の眼科レンズに関する。
【背景技術】
【０００３】
眼内レンズ（ＩＯＬ）は、白内障または近視の治療の一部として眼に移植されるレンズである。利用可能な多焦点眼内レンズ（ＩＯＬ）は、多くの場合、視覚機能を回復させることができ、移植後に眼鏡を不要にし、患者の満足度を高めることを可能にする。
【０００４】
多焦点ＩＯＬは、遠見視力、近視、およびすべての中間距離を補正する。多焦点ＩＯＬは、光を異なる焦点に分割することで、光が目に入るときに発生する光の分散による視覚の生理機能を変化させて近見視力を改善する。最新の多焦点ＩＯＬは、より生理学的な光の分割を提供し、このようにして、眼鏡への非依在性を最適化し、また患者の視力の質を向上させ、視覚症状を軽減する。
【０００５】
関連技術の前述の例およびそれに関連する限定は、例証的であり、排他的ではないことが意図される。関連技術の他の制限は、本明細書を読み、図を検討すれば、当業者には明らかになるであろう。
【発明の概要】
【０００６】
以下の実施形態およびその態様は、範囲を限定するものではなく、例示的かつ例証的であることを意味するシステム、ツール、および方法と併せて説明および図示される。
【０００７】
本発明のいくつかの実施形態によれば、複数の離散した隣接する回折同心リングを含む少なくとも１つの回折面であって、ほぼ対称的な回折面トポグラフィを有する径方向位相プロファイル断面と、３つより多い奇数の回折次数と、を有する少なくとも１つの回折面を含む多焦点ＩＯＬが提供される。いくつかの実施形態では、ＩＯＬは、回折次数にわたるエネルギー流束の非対称分布を含む。
【０００８】
いくつかの実施形態では、ＩＯＬは、５つの回折次数を含む。いくつかの実施形態では、
回折面が、ステップ間で回折プロファイルを不変に維持するように設計された回折ステップを含み、回折ステップが、ＩＯＬのベース曲率の部分的に内側および部分的に外側にある。
いくつかの実施形態では、回折同心リングが、回折プロファイルの反復パターンを含む。いくつかの実施形態では、プロファイルは非対称である。
【０００９】
いくつかの実施形態では、回折リングは、単一の回折プロファイルの反復パターンを含む。いくつかの実施形態では、回折リングは、２つの異なる回折プロファイルの反復パターンを含み、その場合、回折リングは、１つの回折プロファイルの反復パターンを有する第１のゾーンから、第２の回折プロファイルの反復パターンを有する第２の周辺ゾーンへの単一の遷移を含む。
【００１０】
いくつかの実施形態では、第２の周辺ゾーンの回折面トポグラフィの高さは、ＩＯＬの中心高さに対して径方向外向きに前進するときに一定に維持される。いくつかの実施形態では、径方向位相プロファイル断面は、非対称の二重ピーク形状を有する。
【００１１】
いくつかの実施形態では、ＩＯＬの厚さは可変であり、曲率は維持される。いくつかの実施形態では、ＩＯＬの厚さは可変であり、曲率は可変である。
【００１２】
上記の例示的な態様および実施形態に加えて、さらなる態様および実施形態は、図を参照することによって、および以下の詳細な説明を検討することによって明らかになるであろう。
【図面の簡単な説明】
【００１３】
特許または出願ファイルには、カラーで実行された少なくとも１つの図面を含む。カラー図面（複数可）を有するこの特許または特許出願の公報の複写物は、要求と必要な料金の支払いに応じて、官庁により提供される。
【００１４】
例示的な実施形態は、参照図に示されている。図に示されているコンポーネントおよび特徴の寸法は、概して、表示の便宜と明確さのために選択されており、必ずしも縮尺どおりに示されていない。図は以下のとおりである。
【００１５】
【図１Ａ】多焦点ＩＯＬの平面図の簡略図である。
【図１Ｂ】本発明のいくつかの実施形態による、多焦点ＩＯＬの回折面の断面図の簡略図である。
【図２Ａ】ＩＯＬの一部分の回折面トポグラフィの径方向断面の簡略図である。
【図２Ｂ】図２Ａに示す回折面トポグラフィに関連する特定の回折次数にわたるエネルギー流束（パワー）レベルの分布のグラフである。
【図３Ａ】ＩＯＬの一部分の回折面トポグラフィの径方向断面の簡略図である。
【図３Ｂ】図３Ａに示す回折面トポグラフィに関連する特定の回折次数にわたるエネルギー流束（パワー）レベルの分布のグラフである。
【図４】本発明のいくつかの例による、２つの径方向位相プロファイルを重ね合わせたグラフである。
【図５Ａ】ＩＯＬの一部分の回折面トポグラフィの径方向断面の簡略図である。
【図５Ｂ】図５Ａに示す回折面トポグラフィに関連する特定の回折次数にわたるエネルギー流束（パワー）レベルの分布のグラフである。
【図６】本発明のいくつかの実施形態による、ＩＯＬのスルーフォーカス変調伝達関数（ＭＴＦ）のシミュレーションのグラフである。
【図７】は、本発明のいくつかの実施形態による、例示的なレンズの回折部分のプロファイルを示す簡略化されたグラフ図である。
【発明を実施するための形態】
【００１６】
図面の図１Ａ〜図６に示すように、本発明のいくつかの実施形態をよりよく理解するために、最初に、多焦点眼内レンズ（ＩＯＬ）の構築および動作について言及する。
【００１７】
多焦点眼内レンズ（ＩＯＬ）は、光軸上に１つ、２つ、３つ、またはそれ以上の回折次数または焦点を生成するように設計されているため、画像に関連するオブジェクトが目から対応する距離に位置するときに、各画像の焦点が網膜上に形成される。ほとんどの眼内レンズは、屈折（レンズ）焦点と遠見視力に対応するエネルギー流束（パワー）を有するように設計されていて、つまり、レンズの球面／非球面は、オブジェクトが目から遠視の距離（＞５〜６メートル）に位置するときに、網膜上に物体の画像の焦点を合わせるように設計されている。ほとんどの二焦点および三重焦点レンズの回折面は、近距離（３０〜４０ｃｍ）および中間距離（６０〜８０ｃｍ）に追加の焦点を作成する。
【００１８】
ほとんどの屈折回折ＩＯＬは、同じ一般的な構造、つまり、複数のリングを含むレンズを有し、各リングはリング幅に合わせてスケーリングされた回折プロファイルを有する。回折プロファイルは、各フレネルゾーンの半径に沿って反復される。場合によっては、リングも垂直方向にスケーリングされる（アポダイゼーション）。
【００１９】
本発明の一態様によれば、ＩＯＬのベース曲率の部分的に内側および部分的に外側にある回折ステップを含むＩＯＬが提供される。いくつかの実施形態では、ＩＯＬの厚さは可変であり、曲率は一定である。いくつかの実施形態では、曲率の変化は、ステップ間の球形度の最適化によって生じる。
【００２０】
本発明のいくつかの実施形態の一態様によれば、球面および非球面を有するＩＯＬが提供される。いくつかの実施形態では、ＩＯＬは、眼の光軸に沿って非対称の数のアクティブな回折次数を含む。いくつかの実施形態では、ＩＯＬは、眼の光軸上に３つより多い回折次数を含む。いくつかの実施形態では、ＩＯＬは、光軸上に５つの回折次数を含む。
【００２１】
いくつかの実施形態では、ＩＯＬは、レンズの１つ以上の面上に回折パターンを含む。いくつかの実施形態では、回折パターンは、回折プロファイルの反復パターンを含む。いくつかの実施形態では、プロファイルは非対称である。
【００２２】
ここで、図１Ａおよび図１Ｂ（縮尺通りに描かれていない）を参照すると、図１Ａは、本発明のいくつかの実施形態による、多焦点ＩＯＬの平面図の簡略図であり、図１Ｂは、多焦点ＩＯＬの回折面の断面図の簡略図である。
【００２３】
図１Ａに示す例示的な実施形態に示すように、ＩＯＬ１００は、複数の離散した隣接する回折同心セクションまたはリング１０２を有する回折面を含む。
【００２４】
いくつかの実施形態では、ＩＯＬ回折面は、ＩＯＬのベース曲率の部分的に内側および部分的に外側にある回折ステップを含む。これにより、２つのステップ間で回折状態が変化する。いくつかの実施形態では、ＩＯＬの厚さは可変であるが、曲率は維持される。いくつかの実施形態では、曲率の変化は、ステップ間の球形度の最適化によって生じる。
【００２５】
説明されている設計の潜在的な利点は次のとおりである。
１．回折ステップの設計は、ステップ間の回折プロファイルを変更しない。これにより、距離のコントラストを失うことなく、近焦点距離に、任意のパワーが加わったより効率的な多焦点ＩＯＬを有することが可能になる。
２．回折ステップの設計により、回折にとって理想的な状態である、光線をステップと平行にすることが可能になる。
【００２６】
いくつかの実施形態では、リングは、フレネルゾーン（１０２−１／１０２−２）に沿って分布している。いくつかの実施形態では、図１Ｂに示すように、ＩＯＬ面１５０トポグラフィは、レンズのタイプに応じて、反復的な三角形の形態、正方形の形態、または放物線の形態を特徴とする。
【００２７】
ここで、図２Ａを参照すると、これは、ＩＯＬの一部分の回折面トポグラフィの径方向断面の簡略図であり、図２Ｂを参照すると、これは、図２Ａに示す回折面トポグラフィに関連する特定の回折次数にわたるエネルギー流束（パワー）レベルの分布のグラフである。
【００２８】
図２Ａは、同心リングを通る回折面トポグラフィの径方向断面または径方向位相プロファイル２００を示す。径方向位相プロファイルの特定の断面は、Ｇｅｒｃｈｂｅｒｇ−Ｓａｘｔｏｎ（ＧＳ）反復アルゴリズムを使用して生成される。図２Ａは、ほぼ対称的な局所回折面トポグラフィを有する非対称の二重ピーク断面を示す径方向位相プロファイル断面の例示的な実施形態を示す。径方向位相プロファイル２００は、特定の焦点距離を有する回折レンズのフレネルゾーン（リング）の各々に径方向および放物線状に統合される高さプロファイルに変換される。
【００２９】
本開示の著者は、対称局所回折面トポグラフィ関数が、奇数個の回折の回折次数、例えば、１つ、３つ、５つ、７つ、または９つの回折の回折次数、具体的には、３つより多い回折の回折次数と組み合わされると、ＩＯＬの全体的な光透過効率を９０％以上に向上させ、場合によっては少なくとも９３％まで向上させることを知ることに至った。
【００３０】
いくつかの実施形態では、ＩＯＬ１００は、光軸上に５つの回折次数を含む。いくつかの実施形態では、回折次数の１つ、例えば、遠見視力焦点距離は、高いエネルギー流束レベルを有する。いくつかの実施形態では、回折次数の１つは完全に抑制されている。いくつかの実施形態では、５つの回折次数または焦点は、以下の５つの回折次数に対応する。すなわち、回折パターンによって生じる回折の回折次数である−２、−１、＋１、および＋２と、ＩＯＬの球面／非球面によって生じる屈折力である単一の次数０である。いくつかの実施形態では、レンズの球面／非球面は、画像化される物体が眼から近見視力（約３０〜４０ｃｍ）と遠見視力（数メートル）との間の中間距離に位置するときに網膜に画像の焦点を合わせるように設計される。
【００３１】
いくつかの実施形態では、図２Ｂに示すように、５つの回折次数のうち、回折次数−２は、遠見視力に対応し、最も高いエネルギー流束レベルを有する。いくつかの実施形態では、残りの回折次数のうち、近見視力に対応する回折次数＋２が最も高いエネルギー流束レベルを有する。この実施形態では、回折次数−１が抑制されている。
【００３２】
ここで、図３Ａを参照すると、これは、ＩＯＬの一部分の回折面トポグラフィの径方向断面の簡略図であり、図３Ｂを参照すると、これは、図３Ａに示す回折面トポグラフィに関連する特定の回折次数にわたるエネルギー流束レベルの分布のグラフである。
【００３３】
図３Ａおよび図３Ｂは、図２Ａおよび図２Ｂに示したものとは異なる設計を示すが、どちらもＧｅｒｃｈｂｅｒｇ−Ｓａｘｔｏｎ（ＧＳ）反復アルゴリズムを使用したプロファイル生成と、特定の焦点距離を有する回折レンズのフレネルゾーン（リング）の各々に径方向および放物線状に統合される高さプロファイルへの位相プロファイルの変換という同じ方法を使用して設計されている。
【００３４】
図３Ａは、同心リングを通る回折面トポグラフィの径方向断面または径方向位相プロファイル３００の追加の例を示す。図３Ａは、ほぼ対称的な局所回折面トポグラフィを有する非対称の二重ピーク断面を示す径方向位相プロファイルの例示的な実施形態を示す。径方向位相プロファイル３００は、特定の焦点距離を有する回折レンズのフレネルゾーン（リング）の各々に径方向および放物線状に統合される高さプロファイルに変換される。
【００３５】
いくつかの実施形態では、図３Ｂに示すように、５つの回折次数のうち、回折次数−２は、遠見視力に対応し、最も高いエネルギー流束レベルを有する。いくつかの実施形態では、残りの回折次数のうち、近見視力に対応する回折次数＋２が最も高いエネルギー流束レベルを有し、次数０でのエネルギー流束レベルは、回折次数＋１でのエネルギー流束レベルよりも高い。この実施形態では、回折次数−１が抑制されている。
【００３６】
図４に示すように、これは、径方向位相プロファイル３００を径方向位相プロファイル２００に重ね合わせたグラフであるが、本発明のいくつかの例による設計間の位相差を実証する。５つ以上の焦点（例えば、７）でこの手法を使用するときに、回折焦点距離は、遠焦点（回折次数−３）と近焦点（回折次数＋３）の位置を決定し、屈折焦点距離（球面）は、中間焦点（次数０）のうちの１つの位置を決定する。図４に示される例示的な実施形態では、径方向位相プロファイル２００は、１、０、０．３３３、０．３８、および０．６３７の位相を含み、径方向位相プロファイル３００は、１、０、０．６、０．４５、および０．６５の位相を含む。いくつかの実施形態では、ＩＯＬは、２つのゾーン、つまり、中央ゾーン１０２−１（図１Ａおよび図１Ｂ）と周辺ゾーン１０２−２を含む。いくつかの実施形態では、中央ゾーン１０２−１の回折パターンはアポダイズされない。いくつかの環境では、周辺ゾーン１０２−２の回折パターンはアポダイズされない。ゾーン１０２−２の回折面トポグラフィの高さは一定に維持され、ＩＯＬの中心の高さに対して径方向外側に進むときに段階的なステップ高さの減少を有さない。この配置と設計は、開口を増やすと強度分布を変化させ、瞳孔拡張（低強度環境）光で、最適に焦点が合わされていなくても光束を増やすことができるような回折次数で計画されている。
【００３７】
この設計の潜在的な利点は、アポダイゼーション設計により１００％に近い回折効率が可能になり、したがって、光の損失を最小限に抑えられることである。
【００３８】
開口サイズに応じて強度分布を修正する場合、本明細書で使用する手法は、パフォーマンスを向上させるために、眼内レンズの任意の半径またはフレネルゾーンの１つ（またはその近く）で回折パターンを変化させることである。本発明では、設計遷移は半径約１．２２８ｍｍで発生した。
【００３９】
図５Ａおよび図５Ｂに示すように、図５Ａは、本発明のいくつかの実施形態による、ＩＯＬの周辺ゾーンの同心リングを通る回折面トポグラフィの径方向断面または径方向位相プロファイル５００の例を示す。図５Ａは、ＩＯＬ周辺ゾーン１０２−２での径方向位相プロファイル断面の例示的な実施形態を示し、ほぼ対称的な局所回折面トポグラフィを有する非対称の単一ピーク断面を示す。
【００４０】
いくつかの実施形態では、ＩＯＬ周辺ゾーン１０２−２での径方向位相プロファイル断面は、ほぼ対称の局所回折面トポグラフィを有する非対称の二重ピーク断面を含む。径方向位相プロファイル５００は、特定の焦点距離を有する回折レンズのフレネルゾーン（リング）の各々に径方向および放物線状に統合される高さプロファイルに変換される。
【００４１】
いくつかの実施形態では、図５Ｂに示されるように、流束エネルギーレベルは、−１および＋１の２つの抑制された次数で、遠回折次数から近回折次数に低下する。
【００４２】
図５Ａおよび図５Ｂに示すソース平面で取得され、設計（半径＞１．２２８ｍｍ）で使用される位相は、Ｇｅｒｃｈｂｅｒｇ−Ｓａｘｔｏｎ（ＧＳ）アルゴリズムで正規化されたターゲット強度［１，０，０．５，０，０．３４］を使用して取得される。
【００４３】
しかしながら、いくつかの実施形態では、他の回折プロファイル（遷移後）は、３つ以上の焦点に基づく異なる回折設計とすることができ、遠見視力で全エネルギーを有する単焦点設計、または遠見視力および中間での他の焦点もしくは近見視力でエネルギーを有する二焦点設計とすることもできる。
【００４４】
また、眼内レンズを微調整するために、回折高さプロファイル全体（ＩＯＬゾーン１０２−１からＩＯＬゾーン１０２−２への遷移の前後）を調整することができる。図５Ａおよび図５Ｂに示す例示的な実施形態では、遷移前の第１の回折プロファイルは５％増加し、遷移後の第２の回折プロファイルは１２％増加した。我々の多焦点ＩＯＬは、中間視力に対してゼロ次数に基づいており、使用される回折次数（−２、−１、０、１、２）で９０％を超える高い効率を有する。
【００４５】
ここで、図６を参照すると、これは、本発明のいくつかの実施形態による、ＩＯＬのスルーフォーカス変調伝達関数（ＭＴＦ）のシミュレーションのグラフである。図５に示す例示的な実施形態に示すように、３つのグラフが、３つのレベルの眼の瞳孔直径について描かれている。すなわち、２ｍｍの瞳孔直径（すなわち、強い光の状態）のグラフ６０２、４．５ｍｍの瞳孔直径（すなわち、弱い光の状態）のグラフ６０４、および３ｍｍの瞳孔直径（つまり、通常の光の状態）のグラフ６０６である。
【００４６】
図６に示すグラフは、示されている３つのレベルの環境光すべてでＩＯＬの二相性を提示しているが、環境光のレベルが低下し、瞳孔直径が２ｍｍから４．５ｍｍに変化すると、それに応じて、ＭＴＦ値は、約２２〜２４．５の視度範囲から、約２３〜２３．７５のより狭い視度範囲に制限されるとしても、ＩＯＬの遠視範囲でＭＴＦ値が増加し、弱い光強度での視力を向上させることができる。
【００４７】
図７は、本発明のいくつかの実施形態による、例示的なレンズの回折部分のプロファイルを示す簡略化されたグラフ図である。図７に示されるように、描写された断面プロファイルは、０〜３０００μＭのレンズ半径の一部分に沿って分散された１．５〜２．５μＭの高さを有する複数のピークを含む非対称の単一ピークトポグラフィを含む。
【００４８】
本出願全体を通して、本発明の様々な実施形態は、範囲形式で提示されている場合がある。範囲形式での説明は、単に便宜性および簡潔性のためであり、本発明の範囲への確固たる限定として解釈するべきではないことを理解すべきである。したがって、範囲の説明は、すべての可能な部分範囲ならびにその範囲内の個々の数値を具体的に開示していると見なされるべきである。例えば、１〜６などの範囲の説明は、１〜３、１〜４、１〜５、２〜４、２〜６、３〜６などの部分範囲、ならびに、その範囲内の個々の数、例えば、１、２、３、４、５、および６を具体的に開示していると見なされるべきである。これは、範囲の幅に関係なく適用される。
【００４９】
本明細書で数値範囲が示される場合は常に、指示範囲内の任意の引用数字（分数または整数）を含むことを意味している。第１の指示数〜第２の指示数「の範囲にある／との間の範囲」および第１の指示数「〜」第２の指示数の「範囲にある／範囲」という表現は、本明細書では互換的に使用され、第１および第２の指示数ならびにそれらの間のすべての分数と整数の数字を含むことを意味する。
【００５０】
本出願の説明および特許請求の範囲において、「備える（ｃｏｍｐｒｉｓｅ）」、「含む（ｉｎｃｌｕｄｅ）」、および「有する（ｈａｖｅ）」という語、ならびにそれらの形態のそれぞれは、必ずしも、その語が関連付けられ得るリスト内のメンバーに限定されない。さらに、本出願と参照により組み込まれる任意の文書との間に不一致がある場合、本出願が支配することが本明細書によって意図されている。
【００５１】
本発明の様々な実施形態の説明は、例示の目的で提示されたが、網羅的であること、または開示された実施形態に限定されることを意図したものではない。説明された実施形態の範囲および趣旨から逸脱することなく、多くの修正および変形が当業者には明らかであろう。本明細書で使用される用語は、実施形態の原理、実際の応用、もしくは市場で見られる技術に対する技術的改善を最もよく説明するために、または当業者以外の人が本明細書で開示される実施形態を理解できるように選択されたものである。
【図１Ａ】
2022500223.tif 000003
【図１Ｂ】
2022500223.tif 000004
【図２Ａ】
2022500223.tif 000005
【図２Ｂ】
2022500223.tif 000006
【図３Ａ】
2022500223.tif 000007
【図３Ｂ】
2022500223.tif 000008
【図４】
2022500223.tif 000009
【図５Ａ】
2022500223.tif 000010
【図５Ｂ】
2022500223.tif 000011
【図６】
2022500223.tif 000012
【図７】
2022500223.tif 000013
【国際調査報告】
2022500223.tif 000014
2022500223.tif 000015
2022500223.tif 000016
2022500223.tif 000017
2022500223.tif 000018
2022500223.tif 000019
2022500223.tif 000020